(57)【要約】【課題】毛染め等の際に塗布剤をきめ細かく、また塗布感覚の良い状態で髪に塗布することができるヘアブラシを提供すること。【解決手段】複数の植毛穴１を縦列をなすように形成し、各植毛穴１にブラシ毛２を植設することにより刷毛部３を形成したヘアブラシにおいて、長さが異なる長短のブラシ毛２１、２２を一つの植毛穴１に植設する。【選択図】図１
2007082693.tif 000002
【特許請求の範囲】
【請求項１】
複数の植毛穴を列をなすように形成し、各植毛穴にブラシ毛を植設することにより刷毛部を形成したヘアブラシにおいて、長さが異なる長短のブラシ毛を一つの植毛穴に植設したことを特徴とするヘアブラシ。
【請求項２】
ブラシ毛の短毛と長毛とを、それぞれが植毛穴の列の方向に揃うように左右に振り分けて各植毛穴に植設したことを特徴とする請求項１記載のヘアブラシ。
【請求項３】
ブラシ毛の短毛と長毛の毛先の差を２〜１５ｍｍとしたことを特徴とする請求項１又は２記載のヘアブラシ。
【発明の詳細な説明】
【技術分野】
【０００１】
本発明は、毛先に凹凸を設けるようにしたヘアブラシに関し、特に、毛染め等の際に塗布剤をきめ細かく、また塗布感覚の良い状態で髪に塗布することができるヘアブラシに関するものである。
【背景技術】
【０００２】
従来、ブラシ毛を植設する植毛台を山形にしたり、あるいは植毛後に毛先をカットしたりするなど、ブラシ毛の毛先に凹凸を設けることにより使いやすくしたヘアブラシが提案されている（下記特許文献１及び２参照）。
【０００３】
しかしながら、これら従来のヘアブラシは、例えば毛染めの際に、広い範囲で見た時には塗布剤がほぼ均一に満遍なく塗布できるが、植毛穴に植設される毛束の単位で凹凸が形成されることから、きめが粗く塗布にむらが出やすいという問題があった。
【特許文献１】実案登録第２５６０５６１号公報
【特許文献２】特許第３４２８８０９号公報
【発明の開示】
【発明が解決しようとする課題】
【０００４】
本発明は、上記従来のヘアブラシが有する問題点に鑑み、毛染め等の際に塗布剤をきめ細かく、また塗布感覚の良い状態で髪に塗布することができるヘアブラシを提供することを目的とする。
【課題を解決するための手段】
【０００５】
上記目的を達成するため、本発明のヘアブラシは、複数の植毛穴を列をなすように形成し、各植毛穴にブラシ毛を植設することにより刷毛部を形成したヘアブラシにおいて、長さが異なる長短のブラシ毛を一つの植毛穴に植設したことを特徴とする。
なお、ここでいうヘアブラシとは、ブラシ毛を使わない櫛とは区別されるものである。
【０００６】
この場合において、ブラシ毛の短毛と長毛とを、それぞれが植毛穴の列の方向に揃うように左右に振り分けて各植毛穴に植設することができる。
【０００７】
また、ブラシ毛の短毛と長毛の毛先の差を２〜１５ｍｍとすることができる。
【発明の効果】
【０００８】
本発明のヘアブラシによれば、複数の植毛穴を列をなすように形成し、各植毛穴にブラシ毛を植設することにより刷毛部を形成したヘアブラシにおいて、長さが異なる長短のブラシ毛を一つの植毛穴に植設することから、植設する毛束の単位でブラシ毛に凹凸を形成することができ、これにより、ブラシ毛先端の凹凸をきめ細かくして、毛染め等の際に塗布剤を満遍なく均一に、また塗布感覚の良い状態で髪に塗布することができる。
【０００９】
この場合において、ブラシ毛の短毛と長毛とを、それぞれが植毛穴の列の方向に揃うように左右に振り分けて各植毛穴に植設することにより、髪をすく際にブラシ毛の毛先が前後に広がり、この広がった毛先が髪の多いところも少ないところに対しても均一に当接することにより、毛染め等の塗布剤を満遍なく均一に塗布することができる。
【００１０】
また、ブラシ毛の短毛と長毛の毛先の差を２〜１５ｍｍとすることにより、適切な段差をブラシ毛に設け、塗布剤をきめ細かく髪に塗布することができる。
【発明を実施するための最良の形態】
【００１１】
以下、本発明のヘアブラシの実施の形態を、図面に基づいて説明する。
【実施例１】
【００１２】
図１〜図３に、本発明のヘアブラシの一実施例を示す。
このヘアブラシは、複数の植毛穴１を縦列をなすように形成し、各植毛穴１にブラシ毛２を植設することにより刷毛部３を形成するもので、長さが異なる長短のブラシ毛２１、２２を一つの植毛穴１に植設している。
ブラシ毛２の短毛２１と長毛２２は、図３に示すように、それぞれが植毛穴１の列の方向に揃うように左右に振り分けて各植毛穴１に植設されている。
【００１３】
ヘアブラシは、把持部４の先端側に細長く形成した植毛台５を備えており、本実施例では、植毛穴１はこの植毛台５の長手方向に２列形成されている。この植毛穴１の２本の列は、左右に隣り合う植毛穴１が千鳥状の配置となるように位相をずらして形成されている。
把持部４は、例えば、毛染め用塗布剤や整髪用塗布剤の容器本体等（図示省略）に取り付けるための連結部６を有し、この連結部６を差し込んで爪部６１を容器側に嵌合させることにより、容器本体等と一体化することができる。
【００１４】
ブラシ毛２は、例えば、合成樹脂製の線材からなり、一束のブラシ毛２の所定位置に金属平線７を当てて折り曲げることにより、金属平線７を境に短毛２１と長毛２２とが同数形成される。
そして、このように形成された毛束を前記２列の植毛穴１に挿入するが、図３に示すように、短毛２１と長毛２２が植毛穴１の列の方向に揃うように左右に配向して各植毛穴１に植設する。そして、必要に応じて、一旦植設した列方向の各植毛穴１内の短毛２１と長毛２２との間に板状部材（図示省略）を挿入した上で、短毛２１及び長毛２２のそれぞれの毛先並びを整列カットすることもでき、これにより、各毛先をより正確に揃えることができる。
この場合、図３（ａ）に示すように、短毛２１を２本の植毛穴列の外側に配設したり、あるいは、図３（ｂ）に示すように、列の内側に配設したりすることができる。
また、図３（ｃ）に示すように、短毛２１を２列とも左側に配設したり、あるいは、図３（ｄ）に示すように、２列とも右側に配設したりすることもできる。
【００１５】
また、ブラシ毛２の短毛２１と長毛２２の毛先の差は、ヘアブラシの用途に応じて、２〜１５ｍｍ、好ましくは、３〜１０ｍｍとすることが好適であり、本実施例では約４ｍｍとすることにより、ブラシ毛２に適切な段差を設け、塗布剤をきめ細かく髪に塗布できるようにしている。
このように、長短異なる毛先を植毛穴１の列方向に揃えることにより、ヘアブラシを横に動かして髪をすく際に、髪の毛の多いところや少ないところに対しても、ブラシ毛２が頭皮面に横一線ではなく、前後に広がった状態で当接するので、毛染め剤や整髪料などの塗布剤を満遍なく均一に塗布することができる。
また、育毛剤の塗布などでは、凹凸がある頭皮面にも追従してブラシ毛２が当接することから、満遍なく均一に頭皮を刺激することができ、使用感が良いヘアブラシとすることができる。
【００１６】
かくして、本実施例のヘアブラシは、複数の植毛穴１を列をなすように形成し、各植毛穴１にブラシ毛２を植設することにより刷毛部３を形成したヘアブラシにおいて、長さが異なる長短のブラシ毛２を一つの植毛穴１に植設することから、植設する毛束の単位でブラシ毛２に凹凸を形成することができ、これにより、ブラシ毛先端の凹凸をきめ細かくして、毛染め等の際に塗布剤を満遍なく均一に、また塗布感覚の良い状態で髪に塗布することができる。
この場合、ブラシ毛２の短毛２１と長毛２２とを、それぞれが植毛穴１の列の方向に揃うように左右に振り分けて各植毛穴１に植設することにより、髪をすく際にブラシ毛２の毛先が前後に広がり、この広がった毛先が髪の多いところも少ないところに対しても均一に当接することにより、毛染め等の塗布剤を満遍なく均一に塗布することができる。
また、ブラシ毛２の短毛２１と長毛２２の毛先の差を２〜１５ｍｍとすることにより、適切な段差をブラシ毛２に設け、塗布剤をきめ細かく髪に塗布することができる。
【００１７】
以上、本発明のヘアブラシについて、その実施例に基づいて説明したが、本発明は上記実施例に記載した構成に限定されるものではなく、その趣旨を逸脱しない範囲において適宜その構成を変更することができる。
【産業上の利用可能性】
【００１８】
本発明のヘアブラシは、植設する毛束の単位でブラシ毛に凹凸を形成することにより、ブラシ毛先端の凹凸をきめ細かくして、塗布剤を満遍なく均一に感覚の良い状態で髪に塗布できるという特性を有していることから、例えば、毛染め剤や整髪料、育毛剤等を塗布するためのヘアブラシの用途に好適に用いることができる。
【図面の簡単な説明】
【００１９】
【図１】本発明のヘアブラシの一実施例を示す側面図である。
【図２】同実施例のヘアブラシを示し、（ａ）は植毛穴と金属平線の平面図（ブラシ毛を省略）、（ｂ）は同縦断面図（ブラシ毛を省略）、（ｃ）は植毛穴に植設したブラシ毛の平面図、（ｄ）は同縦断面図である。
【図３】同ヘアブラシの植毛台を示し、（ａ）は短毛を列の外側に配設した平面図、（ｂ）は短毛を列の内側に配設した平面図、（ｃ）は短毛を列の左側に配設した平面図、（ｄ）は短毛を列の右側に配設した平面図である。
【符号の説明】
【００２０】
１    植毛穴
２    ブラシ毛
２１  短毛
２２  長毛
３    刷毛部
４    把持部
５    植毛台
６    連結部
６１  爪部
７    金属平線
【図１】
2007082693.tif 000003
【図２】
2007082693.tif 000004
【図３】
2007082693.tif 000005